(57)【要約】      （修正有）【課題】飲み間違い、飲み忘れを防ぐと共に、紫外線などによる薬剤の劣化を防止することが可能なカレンダー型の投薬収納器具を提供する。【解決手段】包装形態の薬剤を、種類別に整理し、服用時間帯毎に収納して、患者の取出しの便に供する収納器具であって、収納器具のシート本体１の表面部における上辺又は一方の縦辺には、患者や介護者が薬剤服用の該当曜日を確認できる七曜表示欄２を明示しておく一方、同シート本体の表面部における上辺又は一方の縦辺には、当該患者が薬剤を服用すべき「あさ」「ひる」「よる」「ねるまえ」の如き服用時間帯欄３を明示しておくと共に、七曜表示欄および服用時間帯欄に囲われるシート本体の区域には、薬剤を収納するための薬剤収納ポケット４が七曜表示欄および服用時間帯欄に対応して区画別に付設しておき、これら薬剤収納ポケットには、紫外線をカット可能な透明フィルム４１を使用する。【選択図】図１
0003199139.tif 000002
【実用新案登録請求の範囲】
【請求項１】
病院、医院等が処方して提供する包装形態の薬剤（Ｍ）を、種類別に整理し、服用時間帯毎に収納して、患者の取出しの便に供する収納器具であって、
当該収納器具のシート本体（１）の表面部における上辺又は一方の縦辺には、患者本人や介護者が薬剤服用の該当曜日を確認できる七曜表示欄（２）を一列に明示しておく一方、同シート本体（１）の表面部における上辺又は一方の縦辺には、当該患者が薬剤（Ｍ）を服用すべき「あさ」「ひる」「よる」「ねるまえ」の如き服用時間帯欄（３）を一列に明示しておくと共に、
これら七曜表示欄（２）および服用時間帯欄（３）に囲われるシート本体（１）の区域には、包装形態の薬剤（Ｍ）を収納するための薬剤収納ポケット（４）・（４）…が前記七曜表示欄（２）および服用時間帯欄（３）に対応して区画別に付設されており、これら薬剤収納ポケット（４）・（４）…には、外界から入射する紫外線をカット可能な透明フィルム（41）が使用されていることを特徴とするカレンダー型の投薬収納器具。
【請求項２】
シート本体（１）の表面部に記載された七曜表示欄（２）および服用時間帯欄（３）の何れか一方に、服用時間の定めのない急用薬剤用に「とんぷく」等の表示を付した急用薬剤表示欄（５）を設けたことを特徴とする請求項１に記載のカレンダー型投薬収納器具。
【請求項３】
薬剤収納ポケット（４）・（４）…を二重ポケットにしたことを特徴とする請求項１または請求項２に記載のカレンダー型投薬収納器具。
【請求項４】
シート本体（１）の上部に壁掛け用孔（６）を設けたことを特徴とする請求項１から請求項３の何れか一項に記載のカレンダー型投薬収納器具。
【考案の詳細な説明】
【技術分野】
【０００１】
本考案は、提供された包装状態の薬剤を種類別に整理し、服用時間帯毎に収納可能な、投薬収納器具の改良、更に詳しくは、収納した薬剤の紫外線受光による劣化を防止することが可能なカレンダー型の投薬収納器具に関するものである。
【背景技術】
【０００２】
病院、医院等では、患者の症状によって複数の薬剤を処方し、数日から数週間分を患者に提供することがある。患者は、処方された薬剤に応じて、決まった時間帯に服用する必要があり、複数種の薬剤を服用する必要がある場合、飲み間違い、飲み忘れといった問題があった。
【０００３】
また、近年では、高齢化の進行により高齢者の一人暮らしや、老老介護というように、識別能力の低下した高齢者が服薬管理を行うケースが増加しており、上記の問題によって深刻な事態を招く可能性がある。
【０００４】
本件出願人は、既に実用新案登録第３０９４３７号において、本体シートの表面に日付軸と服薬時間帯軸とを表示し、前記日付軸と服薬時間帯軸とに囲まれる範囲に収納ポケットを配設した構造の投薬収納器具を提案している（特許文献１参照）。
【０００５】
その他の従来技術として、吊下げ可能な台紙に、横方向に１日分、縦方向に１週間分の襠付きポケットを配設した構造の収納具（特許文献２参照）や、両面に一日分の収納ポケットを設けた台紙を日捲り方式にファイリングした構造の収納具（特許文献３参照）が知られている。
【０００６】
従来の投薬収納器具は、飲み間違い、飲み忘れ等を防止するために提案されたものであり、本体シートに透明、あるいは半透明の収納ポケットを配設した構成となっている。上記従来の提案では、前述の問題を防止することは可能であるが、収納された薬剤が直射日光や窓越しの太陽光、蛍光灯や最近増えてきたＬＥＤ照明光などから照射される紫外線、ブルーライト光によって劣化するという問題が生じる。
【先行技術文献】
【特許文献】
【０００７】
【特許文献１】実用新案登録第３０９４３７７号公報
【特許文献２】特開２００３−５２７９３号公報
【特許文献３】特開平８−１８７２６９号公報
【考案の開示】
【考案が解決しようとする課題】
【０００８】
本考案は、従来の投薬収納器具に上記のような問題があったことに鑑みて為されたものであり、その目的とするところは、飲み間違い、飲み忘れを防ぐと共に、紫外線などによる薬剤の劣化を防止することが可能なカレンダー型の投薬収納器具を提供することにある。
【課題を解決するための手段】
【０００９】
本考案者が上記課題を解決するために採用した手段を添付図面を参照して説明すれば次のとおりである。
【００１０】
即ち、病院、医院等が処方して提供する包装形態の薬剤Ｍを、種類別に整理し、服用時間帯毎に収納して、患者の取出しの便に供する収納器具であって、
当該収納器具のシート本体１の表面部における上辺又は一方の縦辺には、患者本人や介護者が薬剤服用の該当曜日を確認できる七曜表示欄２を一列に明示しておく一方、同シート本体１の表面部における上辺又は一方の縦辺には、当該患者が薬剤Ｍを服用すべき「あさ」「ひる」「よる」「ねるまえ」の如き服用時間帯欄３を一列に明示しておくと共に、
これら七曜表示欄２および服用時間帯欄３に囲われるシート本体１の区域には、包装形態の薬剤Ｍを収納するための薬剤収納ポケット４・４…が前記七曜表示欄２および服用時間帯欄３に対応して区画別に付設しておき、これら薬剤収納ポケット４・４…には、外界から入射する紫外線をカット可能な透明フィルム41を使用することを特徴とする。
【００１１】
また、本考案は、シート本体１の表面部に記載された七曜表示欄２および服用時間帯欄３の何れか一方に、服用時間の定めのない急用薬剤用に「とんぷく」等の表示を付した急用薬剤表示欄５を設けることができる。
【００１２】
また、薬剤収納ポケット４・４…を二重ポケットにするという技術的手段を採用した。
【００１３】
さらに、シート本体１の上部に壁掛け用孔６を設けることも可能である。
【考案の効果】
【００１４】
本考案において紫外線をカット可能な透明フィルムを使用して薬剤収納ポケットを構成することにより、収納された薬剤を視認することができ、飲み間違いや飲み忘れを防ぐことができると共に、紫外線などによる薬剤の劣化を防止すること可能となる。
【００１５】
本考案においては、「とんぷく」等の表示を付した急用薬剤表示欄を設けることにより、緊急に服薬を要する場合において、薬剤を探す手間を省くことがが可能となる。
【００１６】
本考案においては、薬剤収納ポケットを二重ポケット構造にしておくにより、薬剤の種類毎に収納ポケットを使い分けることが可能となり、さらには、劣化の早い薬剤後方の収納ポケットに収納することで、紫外線カット効果を向上させることが可能となる。
【００１７】
本考案においては、シート本体上部に壁掛け用孔を設けたことにより、フックや紐を用いて壁掛けにすることが可能となる。
【図面の簡単な説明】
【００１８】
【図１】本実施例１のカレンダー型の投薬収納器具を表した正面図である。
【図２】変形例のカレンダー型の投薬収納器具を表した正面図である。
【考案を実施するための形態】
【００１９】
本考案を実施するための形態を、具体的に図示した図面に基づいて、更に詳細に説明すると、次のとおりである。
【００２０】
『実施例』
本考案の実施例を図１に基づいて説明する。図中、符号１で指示するものはシート本体であり、このシート本体１は、軟質樹脂を使用し、上部には芯材を封入した。本実施例において芯材は、紙製のものを使用した。なお、シート本体１の芯材封入部分には、壁掛け用孔６・６を形成した。
【００２１】
また、符号２で指示するものは、七曜表示欄であり、本体シート１の左側縦方向に「日曜から土曜」までの一週間分を表示した。本実施例において七曜表示欄２の下部には、急用薬剤表示欄５として「とんぷく」の表示を設けると共に、前記七曜表示欄２の「日」と急用薬剤表示欄５の「とんぷく」の表示は赤色で印字した。
【００２２】
さらにまた、符号３で指示するものは服用時間帯欄であり、シート本体１の上部横方向に「あさ」「ひる」「よる」「ねるまえ」を記載した。なお、前記七曜表示欄２と服用時間帯欄３とに囲われる区域であって、各表示に対応する区画別に薬剤収納ポケット４・４…を付設した（図１参照）。本実施例において薬剤収納ポケット４・４…は、紫外線をカット可能な透明フィルム41をシート本体１に熱溶着して構成した。
【００２３】
しかして、本実施例におけるカレンダー型の投薬収納器具は、提供された包装状態の薬剤Ｍを、種類別に七曜表示欄２と服用時間帯欄３とに対応する薬剤収納ポケット４・４…収納することにより、飲み間違い、飲み忘れを防止することができ、さらには、薬剤収納ポケットが紫外線をカット可能な透明フィルム41で構成されていることで、薬剤Ｍが外界から入射する紫外線などによって劣化するのを防ぐことが可能となる。
【００２４】
『変形例』
本明細書と添付図に例示する本考案の実施例は、概ね上記のとおりであるが、本考案は、前述の実施例に限定されるものでは決してなく、「実用新案登録請求の範囲」の記載内において種々の変更が可能であることは言うまでもなく、例えば、次に挙げる変形例は本考案の技術的範囲に属する。
【００２５】
本実施例では、七曜表示欄２を左側縦方向に記載し、服用時間帯欄３を上部横方向に記載するとしたが、七曜表示欄２と服用時間帯欄３とに対応する区画別に薬剤収納ポケット４・４…を付設でき、薬剤Ｍを種類別に収納可能であれば、記載位置を逆にすることも自由であり、当該技術的範囲に属する（図２参照）。
【００２６】
また、本実施例では、急用薬剤表示欄５を七曜表示欄２の下部に設けるとしたが、服用時間の指定のない薬剤であることが認識可能であれば、服用時間帯欄３に併記することも可能である。
【符号の説明】
【００２７】
１  シート本体
２  七曜表示欄
３  服用時間帯欄
４  薬剤収納ポケット
41  透明フィルム
５  急用薬剤表示欄
６  壁掛け用孔
Ｍ  薬剤
【図１】
0003199139.tif 000003
【図２】
0003199139.tif 000004